(57)【要約】【課題】汎用性のある地上子カバーを実現する。【解決手段】地上子カバー１００を地上子に被せて、締め紐３０の両端を引き出すように巾着絞りし、その締め紐３０をストッパー４０で保持すれば、地上子カバー１００を地上子に容易に取り付けることができる。このように地上子カバー１００は巾着絞り構造にして地上子に取り付けることができるので、地上子カバー１００を地上子に被せることができれば、地上子の形状によらず、地上子カバー１００を地上子に取り付けることができる。つまり、この地上子カバー１００は、地上子の制御種別などによらず、地上子カバー１００を地上子に取り付けることができるので、汎用性のあるカバーとして使用できる。【選択図】図１
2018118599.tif 000002
【特許請求の範囲】
【請求項１】
鉄道の軌道に設置されている地上子に被せる地上子カバーであって、
電磁シールド性を具備する柔軟なシートを用いて形成された、上面部とその上面部の外縁から垂下するように設けられた側面部とを有するカバー本体と、
前記カバー本体の外面と内面の両方に設けられた、柔軟性を有する不透水層と、
前記側面部の下縁に設けられている紐通し部と、
前記紐通し部に通されて、その両端が巾着絞り可能に引き出されている紐状部材と、
を備え、
当該地上子カバーは、前記地上子の上面と側面を覆うように、前記地上子に巾着絞り構造にて取り付けられることを特徴とする地上子カバー。
【請求項２】
前記紐通し部から前記カバー本体の側面部にかけて２筋の切り込みが形成されており、
前記地上子の側面にケーブルが接続されていない場合、前記２筋の切り込みの間の前記紐通し部に前記紐状部材が通された状態で、当該地上子カバーは前記地上子に取り付けられるように構成されており、
前記地上子の側面にケーブルが接続されている場合、前記２筋の切り込みの間の前記紐通し部に前記紐状部材が通されていない状態で当該地上子カバーは前記地上子に取り付けられ、前記２筋の切り込みの間の前記紐通し部と前記カバー本体の側面部は、前記ケーブルを避けるように前記カバー本体の上面部側に折り返されるように構成されていることを特徴とする請求項１に記載の地上子カバー。
【請求項３】
前記２筋の切り込みの間の前記紐通し部と、その紐通し部が折り返される箇所のカバー表面には、互いに係着する面ファスナーが設けられていることを特徴とする請求項２に記載の地上子カバー。
【請求項４】
前記紐状部材の両端を長さ調整可能に保持しているストッパーを備え、
前記ストッパーは、
筒体と、前記筒体内に進退可能に挿入されている軸体と、前記筒体と前記軸体の間に介装されている少なくとも２つの付勢部材と、を備え、
前記筒体と前記軸体にはそれぞれを連通可能な貫通穴が形成されており、
前記筒体の貫通穴と前記軸体の貫通穴が連通されて、その連通された貫通穴に前記紐状部材の両方の端部が通された状態で、前記筒体の貫通穴と前記軸体の貫通穴の位置をずらすように、前記２つの付勢部材はそれぞれ前記軸体を前記筒体から押し出す方向に付勢していることを特徴とする請求項１〜３のいずれか一項に記載の地上子カバー。
【発明の詳細な説明】
【技術分野】
【０００１】
本発明は、鉄道システムにおける地上子の電波通信機能を一時的に停止させるために、地上子に被せて使用する地上子カバーに関する。
【背景技術】
【０００２】
従来、鉄道での衝突防止や過速度防止を図るために、自動列車停止装置（ATS: Automatic Train Stop）が導入されている。
自動列車停止装置では、軌道に設置されている地上子と、列車に搭載されている車上子とで通信を行っており、例えば、列車が停止信号を越えて進行しようとした場合に列車に警報を与えたり、列車のブレーキを自動的に作動させたりして、事故の発生を防ぐようにしている。
また、列車が自己の走行位置を把握あるいは補正するための情報や、停止位置制御のための情報の通信を行う地上子も設置されている。
【０００３】
こうした鉄道設備の切り替えを行う際や、鉄道システムに生じた不具合を復旧させる際に、金属製の箱状の地上子カバーを地上子に被せて、地上子の電波通信機能を一時的に停止させることがある（例えば、特許文献１参照。）。
【先行技術文献】
【特許文献】
【０００４】
【特許文献１】特開２０１３−２３７３００号公報
【発明の概要】
【発明が解決しようとする課題】
【０００５】
ところで、軌道には所定距離ごとに複数の地上子が設置されているので、地上子の電波通信機能を一時的に停止させるために、地上子に地上子カバーを被せる作業を行う際には、多くの地上子カバーを用意して現場に搬入しなければならない。
しかしながら、上記した金属製の箱状の地上子カバーは嵩張るため、一度に現場に搬入できる数には限りがあるという問題があった。
特に、地上子には制御種別などに応じた様々なタイプがあり、各地上子にはその大きさや形状に対応する地上子カバーが必要であるので、現場に搬入した地上子カバーが地上子に合わないと、作業が遅れてしまうことがあった。
【０００６】
本発明の目的は、汎用性のある地上子カバーを提供することである。
【課題を解決するための手段】
【０００７】
上記目的を達成するため、この発明は、
鉄道の軌道に設置されている地上子に被せる地上子カバーであって、
電磁シールド性を具備する柔軟なシートを用いて形成された、上面部とその上面部の外縁から垂下するように設けられた側面部とを有するカバー本体と、
前記カバー本体の外面と内面の両方に設けられた、柔軟性を有する不透水層と、
前記側面部の下縁に設けられている紐通し部と、
前記紐通し部に通されて、その両端が巾着絞り可能に引き出されている紐状部材と、
を備え、
当該地上子カバーは、前記地上子の上面と側面を覆うように、前記地上子に巾着絞り構造にて取り付けられるようにした。
【０００８】
かかる構成の地上子カバーを地上子に被せて、紐状部材の両端を引き出すように巾着絞りし、その紐状部材を縛るなどして保持すれば、地上子カバーを地上子に容易に取り付けることができ、その地上子カバーで地上子の上面と側面を覆うことができる。この地上子カバーで地上子の上面と側面を覆うようにすれば、地上子の電波通信機能を一時的に停止させることができる。
特に、この地上子カバーは、巾着絞り構造にして地上子に取り付けることができるので、例えば、地上子に対しゆったりしたサイズの地上子カバーとして、その地上子カバーを地上子に被せることができれば、地上子の形状によらず、地上子カバーを地上子に取り付けることができる。つまり、この地上子カバーは、地上子の制御種別などによらず、地上子カバーを地上子に取り付けることができるので、汎用性のあるカバーとして使用できる。
【０００９】
また、この地上子カバーにおいて、電磁シールド性を具備する布を用いて形成されたカバー本体の表裏両面（外面と内面の両方）には不透水層が設けられているので、カバー本体が雨水などによって濡れてしまうことはない。
電磁シールド性を具備する布が濡れるなどして水を含んでしまうと、電磁シールド性能が低下してしまうことがあるが、この地上子カバーであれば、カバー本体に水を浸み込ませないようになっているので、雨天時に使用しても電磁シールド性能が低下してしまうことはない。
【００１０】
また、この地上子カバーは、布や紐など軽量な材料であって、折り曲げたり折り畳んだりできる材料からなるので、一度に多くの地上子カバーを現場に搬入することが可能になり、現場での作業時に地上子カバーが足りなくなるようなトラブルを防ぐことができる。
なお、電磁シールド性を具備する柔軟なシートは、導電材料からなる布（織物、編物）や、布に導電材料をメッキしたもの、布に箔を押したものなど、薄くて柔らかいものであれば、どのようなものでもよい。
【００１１】
また、望ましくは、
前記紐通し部から前記カバー本体の側面部にかけて２筋の切り込みが形成されており、
前記地上子の側面にケーブルが接続されていない場合、前記２筋の切り込みの間の前記紐通し部に前記紐状部材が通された状態で、当該地上子カバーは前記地上子に取り付けられるように構成されており、
前記地上子の側面にケーブルが接続されている場合、前記２筋の切り込みの間の前記紐通し部に前記紐状部材が通されていない状態で当該地上子カバーは前記地上子に取り付けられ、前記２筋の切り込みの間の前記紐通し部と前記カバー本体の側面部は、前記ケーブルを避けるように前記カバー本体の上面部側に折り返されるように構成されているようにする。
【００１２】
紐通し部からカバー本体の側面部にかけて２筋の切り込みが形成されている地上子カバーであれば、側面にケーブルが接続されていない地上子と、側面にケーブルが接続されている地上子とで、その態様を変えて取り付けることができる。
具体的には、全ての紐通し部に紐状部材が通されている地上子カバーは、その側面にケーブルが接続されていない地上子に取り付ける場合の態様であり、その地上子カバーによって地上子の上面と側面を覆うことができる。
また、２筋の切り込みの間の紐通し部に紐状部材が通されていない地上子カバーは、その側面にケーブルが接続されている地上子に取り付ける場合の態様であり、２筋の切り込みの間の紐通し部とカバー本体の側面部は、地上子のケーブルを通すためにカバー本体の上面部側に折り返され、その地上子カバーによって地上子の上面と側面のケーブル部分以外を覆うことができる。
【００１３】
また、望ましくは、
前記２筋の切り込みの間の前記紐通し部と、その紐通し部が折り返される箇所のカバー表面には、互いに係着する面ファスナーが設けられているようにする。
【００１４】
こうすることで、２筋の切り込みの間の紐通し部とカバー本体の側面部を折り返した部分が、地上子カバーの取り付けの妨げにならない。
【００１５】
また、望ましくは、
前記紐状部材の両端を長さ調整可能に保持しているストッパーを備え、
前記ストッパーは、
筒体と、前記筒体内に進退可能に挿入されている軸体と、前記筒体と前記軸体の間に介装されている少なくとも２つの付勢部材と、を備え、
前記筒体と前記軸体にはそれぞれを連通可能な貫通穴が形成されており、
前記筒体の貫通穴と前記軸体の貫通穴が連通されて、その連通された貫通穴に前記紐状部材の両方の端部が通された状態で、前記筒体の貫通穴と前記軸体の貫通穴の位置をずらすように、前記２つの付勢部材はそれぞれ前記軸体を前記筒体から押し出す方向に付勢しているようにする。
【００１６】
ストッパーが２つの付勢部材を備えている場合、その２つの付勢部材の付勢力によって筒体から軸体が押し出されることで、連通した貫通穴に通されている紐状部材が筒体と軸体とで挟まれて、ストッパーに保持されるようになる。
つまり、一方の付勢部材が破損しても、他方の付勢部材の付勢力によって、紐状部材を筒体と軸体とで挟んで保持することができるので、巾着絞り構造にして地上子に取り付けられた地上子カバーが地上子から外れ難くなる。
【発明の効果】
【００１７】
本発明によれば、汎用性のある地上子カバーが得られる。
【図面の簡単な説明】
【００１８】
【図１】本実施形態の地上子カバーの一の態様を示す斜視図（ａ）と、２筋の切り込みの間の部分を拡大して示す断面図（ｂ）である。
【図２】ストッパーを一部断面視して示す説明図（ａ）と、ストッパーの分解斜視図（ｂ）である。
【図３】本実施形態の地上子カバーの他の態様を示す斜視図（ａ）と、２筋の切り込みの間の部分を拡大して示す断面図（ｂ）である。
【図４】地上子カバーの変形例を示す斜視図である。
【図５】地上子カバーの変形例を示す斜視図である。
【発明を実施するための形態】
【００１９】
以下、図面を参照して、本発明に係る地上子カバーの実施形態について詳細に説明する。但し、以下に述べる実施形態には、本発明を実施するために技術的に好ましい種々の限定が付されているが、本発明の範囲を以下の実施形態及び図示例に限定するものではない。
【００２０】
本実施形態の地上子カバー１００は、図１（ａ）（ｂ）に示すように、上面部１０ａとその上面部１０ａの外縁から垂下するように設けられた側面部１０ｂとを有するカバー本体１０と、カバー本体１０の側面部１０ｂの下縁に設けられている紐通し部２０と、紐通し部２０に通されて、その両端が巾着絞り可能に引き出されている紐状部材である締め紐３０と、締め紐３０の両端を長さ調整可能に保持しているストッパー４０等を備えている。
また、地上子カバー１００には、紐通し部２０からカバー本体１０の側面部１０ｂにかけて２筋の切り込み２が形成されている。その２筋の切り込み２の間の紐通し部２０の内面には面ファスナー５０が設けられており、カバー本体１０の上面部１０ａの内面にも面ファスナー５０が設けられている。
この地上子カバー１００は、鉄道の軌道に設置されている地上子の電波通信機能を一時的に停止させるために、地上子に被せて使用するカバーである。
【００２１】
カバー本体１０は、電磁シールド性を具備する柔軟なシートを用いて形成されており、例えば、略矩形状の上面部１０ａと、その四方側面を成す側面部１０ｂとを有して、略箱形状を呈している。
電磁シールド性を具備する柔軟なシートとは、例えば、ポリエステル繊維からなる織物や編物に銅メッキやニッケルメッキを施した布、あるいはポリエステル繊維からなる糸に銅メッキやニッケルメッキを施し、そのメッキ処理した糸で織ったり編まれたりしてなる布（織物、編物）である。
そのような電磁シールド性を具備する布を縫製して、略箱形状を呈するカバー本体１０が形成されている。
【００２２】
このカバー本体１０の外面と内面の両方には、柔軟性を有する不透水層１が設けられている。
柔軟性を有する不透水層１は、例えば、ナイロンなどの樹脂材料を用いて形成することができる。
本実施形態では、ナイロン製の防水生地をカバー本体１０の外面と内面の両方に貼付あるいは縫い付けて不透水層１を設けた。
【００２３】
紐通し部２０は、カバー本体１０の四方の側面部１０ｂにそれぞれ設けられている。
本実施形態では、不透水層１に用いたナイロン製の防水生地を折り返すようにしてループ状の紐通し部２０を形成した。
なお、紐通し部２０は、各側面部１０ｂにおいて側面部１０ｂの幅よりも短く形成されており、略箱形状を呈するカバー本体１０の四隅において、紐通し部２０に通されている締め紐３０が露出するようになっている。
【００２４】
締め紐３０は、ナイロンなど樹脂製の紐、あるいは防水処理が施された綿製や麻製の紐である。
締め紐３０の両端は、カバー本体１０の隅部において紐通し部２０から引き出されている。
なお、締め紐３０は、紐状部材としてのゴム紐であってもよい。
【００２５】
ストッパー４０は、図２（ａ）（ｂ）に示すように、一対の貫通穴４１ａが形成されている筒体４１と、一対の貫通穴４２ａが形成され、筒体４１内に進退可能に挿入されている軸体４２と、筒体４１と軸体４２の間に介装されている少なくとも２つの付勢部材４３（４３ａ、４３ｂ）と、付勢部材４３の付勢力によって筒体４１から軸体４２が抜け出てしまうのを防止する抜止ピン４４等を備えている。
本実施形態では、筒体４１と軸体４２の間に２つの付勢部材４３として、比較的小径の左巻きのコイルバネ４３ａと、比較的大径の右巻きのコイルバネ４３ｂを介装した。
また、筒体４１の貫通穴４１ａと軸体４２の貫通穴４２ａとは、筒体４１内で軸体４２の位置や向きを調整することで連通可能になっている。
【００２６】
そして、筒体４１の貫通穴４１ａと軸体４２の貫通穴４２ａが連通された状態で、その連通された貫通穴４１ａ，４２ａに締め紐３０が通されており、その連通された貫通穴４１ａ，４２ａに締め紐３０の両方の端部が通された状態で、筒体４１の貫通穴４１ａと軸体４２の貫通穴４２ａの位置をずらすように、２つの付勢部材４３（４３ａ、４３ｂ）はそれぞれ軸体４２を筒体４１から押し出す方向に付勢している。
この２つの付勢部材４３（４３ａ、４３ｂ）の付勢力によって、筒体４１から軸体４２が押し出されることで、貫通穴４１ａ，４２ａに通された締め紐３０が筒体４１と軸体４２とで挟まれてストッパー４０に保持されるようになっている。
また、筒体４１に軸体４２を押し込み、筒体４１の貫通穴４１ａと軸体４２の貫通穴４２ａを連通させれば、締め紐３０がストッパー４０から解放されるので、締め紐３０を引き出す長さ調整が可能になる。
【００２７】
このような構造を有する地上子カバー１００を地上子に被せて、締め紐３０の両端を引き出すように巾着絞りし、その締め紐３０をストッパー４０で保持すれば、地上子カバー１００を地上子に容易に取り付けることができ、その地上子カバー１００で地上子の上面と側面を覆うことができる。この地上子カバー１００で地上子の上面と側面を覆うようにすれば、地上子の電波通信機能を一時的に停止させることができる。
【００２８】
特に、この地上子カバー１００は、巾着絞り構造にして地上子に取り付けることができるので、地上子カバー１００を地上子に被せることができれば、地上子の形状によらず、地上子カバー１００を地上子に取り付けることができる。
つまり、本実施形態の地上子カバー１００は、地上子の制御種別などによらず、地上子カバー１００を地上子に取り付けることができるので、汎用性のあるカバーとして使用できる。
なお、例えば、大小の２つの大きさの地上子カバー１００や、大中小の３つの大きさの地上子カバー１００を用意しておけば、地上子のサイズに応じて、地上子カバー１００のサイズを選択できるので、より好適に地上子カバー１００を地上子に取り付けることができる。
【００２９】
また、本実施形態の地上子カバー１００は、布や紐など軽量な材料であって、折り曲げたり折り畳んだりできる材料からなるので、一度に多くの地上子カバー１００を現場に搬入することが可能になり、現場での作業時に地上子カバーが足りなくなるようなトラブルを防ぐことができる。
【００３０】
また、地上子カバー１００を巾着絞り構造にして、窄めた紐通し部２０や締め紐３０を地上子の括れに取り付けるようにすれば、地上子から地上子カバー１００が外れ難くすることができる。
特に、ストッパー４０には２つの付勢部材４３が備えられているので、いずれか一方の付勢部材４３が破損しても、地上子カバー１００の巾着絞り構造は維持されるので、鉄道設備の切り替えを行う作業時間や、鉄道システムに生じた不具合を復旧させる作業時間の間であれば、地上子カバー１００が地上子から外れてしまうことはない。
【００３１】
また、地上子カバー１００において、電磁シールド性を具備する布を用いて形成されたカバー本体１０の表裏両面には不透水層１が設けられているので、カバー本体１０が雨水などによって濡れてしまうことはない。
電磁シールド性を具備する布が濡れるなどして水を含んでしまうと、電磁シールド性能が低下してしまうことがあるが、本実施形態の地上子カバー１００は、カバー本体１０に水を浸み込ませないようになっているので、雨天時に使用しても電磁シールド性能が低下してしまうことはない。
【００３２】
なお、図１（ａ）（ｂ）に示した地上子カバー１００では、２筋の切り込み２の間の紐通し部２０に締め紐３０が通されている。
このように、全ての紐通し部２０に締め紐３０が通されている地上子カバー１００は、その側面にケーブルが接続されていない地上子に取り付ける場合の態様であり、地上子カバー１００で地上子の上面と側面を覆うようになっている。
【００３３】
これに対し、図３（ａ）（ｂ）に示した地上子カバー１００では、２筋の切り込み２の間の紐通し部２０に締め紐３０が通されていない。このとき、締め紐３０の両端は切り込み２が形成された箇所の紐通し部２０から引き出すように付け替えられ、２筋の切り込み２の間で締め紐３０の両端がストッパー４０に保持されている。
このように、２筋の切り込み２の間の紐通し部２０に締め紐３０が通されていない地上子カバー１００は、その側面にケーブルが接続されている地上子に取り付ける場合の態様であり、２筋の切り込み２の間の紐通し部２０とカバー本体１０の側面部１０ｂは、地上子のケーブルを避けるようにカバー本体１０の上面部１０ａ側に折り返されており、地上子カバー１００で地上子の上面と側面のケーブル部分以外を覆うようになっている。
そして、２筋の切り込み２の間の紐通し部２０をカバー本体１０の内側へ折り返した箇所に相当するカバー本体１０の上面部１０ａの内面に面ファスナー５０が設けられているので、紐通し部２０の面ファスナー５０をカバー本体１０の面ファスナー５０に係着させて、側面部１０ｂの一部に地上子のケーブルを通すための開口部２ａを形成するようになっている。
なお、２筋の切り込み２の間の紐通し部２０とカバー本体１０の側面部１０ｂが面ファスナー５０によって係着されていれば、その部分が地上子カバー１００の取り付けの妨げにならないので好ましい。
【００３４】
このように、本実施形態の地上子カバー１００は、側面にケーブルが接続されていない地上子と、側面にケーブルが接続されている地上子とで、その態様を変えて取り付けることができる。
【００３５】
なお、本発明は上記実施形態に限られるものではない。
例えば、図４に示すように、切り込み２が形成されていない地上子カバー１００であってもよい。
切り込み２が形成されていない地上子カバー１００であれば、地上子の上面と側面を好適に覆うことができるので、この地上子カバー１００は、側面にケーブルが接続されていない地上子用のカバーとして使用できる。
【００３６】
また、図５に示すように、地上子カバー１００の側面部１０ｂの一部を切り欠いてなる切欠部３が形成されている地上子カバー１００であってもよい。
地上子カバー１００の側面部１０ｂに切欠部３が形成されていれば、切欠部３に地上子のケーブルを通すことができるので、この切欠部３が形成された地上子カバー１００は、側面にケーブルが接続されている地上子用のカバーとして使用できる。
【００３７】
なお、以上の実施の形態においては、略箱形状を呈している地上子カバー１００（カバー本体１０）を例に説明したが、本発明はこれに限定されるものではなく、地上子カバー１００（カバー本体１０）の形状は任意であり、例えば、略円筒状を呈している地上子カバー１００（カバー本体１０）であってもよい。
【００３８】
また、以上の実施の形態においては、ナイロン製の防水生地をカバー本体１０の外面と内面の両方に貼付あるいは縫い付けて不透水層１を設けたが、本発明はこれに限定されるものではなく、カバー本体１０の外面と内面の両方に樹脂被膜をコーティングなどによって形成するようにして不透水層１を設けるようにしてもよい。
【００３９】
また、以上の実施の形態においては、不透水層１に用いた生地で紐通し部２０を形成したが、本発明はこれに限定されるものではなく、不透水層１とは別体の生地を用いて紐通し部２０を形成してもよい。
【００４０】
また、締め紐３０の両端をストッパー４０で保持することに限らず、ストッパー４０を用いずに、締め紐３０の両端を縛るようにして巾着絞り構造にするようにしてもよい。
また、紐状部材としてゴム紐を用いた場合、ゴム材料の収縮力を利用して巾着絞り構造とすることができる。
【００４１】
また、その他、具体的な細部構造等についても適宜に変更可能であることは勿論である。
【符号の説明】
【００４２】
１      不透水層
２      切り込み
２ａ    開口部
３      切欠部
１０    カバー本体
１０ａ  上面部
１０ｂ  側面部
２０    紐通し部
３０    締め紐（紐状部材）
４０    ストッパー
４１    筒体
４１ａ  貫通孔
４２    軸体
４２ａ  貫通孔
４３    付勢部材
４３ａ、４３ｂ  コイルバネ（付勢部材）
５０    面ファスナー
１００  地上子カバー
【図１】
2018118599.tif 000003
【図２】
2018118599.tif 000004
【図３】
2018118599.tif 000005
【図４】
2018118599.tif 000006
【図５】
2018118599.tif 000007